(57)【要約】【課題】外部からエネルギーを供給することなく、効率的にバッテリーの充電を行うことができる携帯端末装置及び携帯端末装置の充電方法を提供すること【解決手段】本発明にかかる携帯端末装置３は、磁性体７３と、第１の端子７０１と、第２の端子７０２とを有し、磁性体７３の移動に応じて発電するコイル７０と、第１の充電端子７２１と、第２の充電端子７２２とを有し、コイル７０からの充電電流によって充電されるバッテリー７２と、第１の端子７０１から第１の充電端子７２１に流れる充電電流を第１のＭＯＳトランジスタ７１１によって整流する整流回路７１と、を備える。【選択図】図１
2011200080.tif 000002
【特許請求の範囲】
【請求項１】
磁性体と、
第１の端子と、第２の端子とを有し、前記磁性体の移動に応じて発電するコイルと、
第１の充電端子と、第２の充電端子とを有し、前記コイルからの充電電流によって充電されるバッテリーと、
前記第１の端子から前記第１の充電端子に流れる充電電流を第１のＭＯＳ(Metal Oxide Semiconductor)トランジスタによって整流する整流回路と、を備えた携帯端末装置。
【請求項２】
前記整流回路は、前記第２の端子から前記第１の充電端子に流れる充電電流を第２のＭＯＳトランジスタによって整流する請求項１に記載の携帯端末装置。
【請求項３】
前記整流回路は、前記第２の充電端子から前記第２の端子に流れる充電電流を第３のＭＯＳトランジスタによって整流するとともに、前記第２の充電端子から前記第１の端子に流れる充電電流を第４のＭＯＳトランジスタによって整流する請求項２に記載の携帯端末装置。
【請求項４】
前記第１のＭＯＳトランジスタは、前記第１の端子と接続されるゲートと、前記第１の充電端子と接続されるソースと、前記第１の端子と接続されるドレインと、を含むＮＭＯＳトランジスタであり、
前記第２のＭＯＳトランジスタは、前記第２の端子と接続されるゲートと、前記第２の充電端子と接続されるソースと、前記第２の端子と接続されるドレインと、を含むＮＭＯＳトランジスタであり、
前記第３のＭＯＳトランジスタは、前記第２の端子と接続されるゲートと、前記第２の充電端子と接続されるソースと、前記第２の端子と接続されるドレインと、を含むＰＭＯＳトランジスタであり、
前記第４のＭＯＳトランジスタは、前記第１の端子と接続されるゲートと、前記第２の充電端子と接続されるソースと、前記第１の端子と接続されるドレインと、を含むＰＭＯＳトランジスタである請求項３に記載の携帯端末装置。
【請求項５】
前記携帯端末装置は、前記バッテリーから電流を供給されて動作するＣＰＵ(Central Processing Unit)と、
前記バッテリーの残量を検出する残量検出部と、をさらに備え、
前記整流回路は、前記残量検出部が検出した残量が、所定の残量以上の場合、前記コイルからの充電電流を前記ＣＰＵに供給する請求項１乃至４のいずれか１項に記載の携帯端末装置。
【請求項６】
前記磁性体は、前記携帯端末装置を動かした場合に移動するように、弾性体によって前記携帯端末装置と接続される請求項１乃至５のいずれか１項に記載の携帯端末装置。
【請求項７】
前記携帯端末装置は、当該携帯端末装置を操作する操作部をさらに備え、
前記磁性体は、前記操作部を操作した場合に移動するように、前記操作部と接続される請求項１乃至６のいずれか１項に記載の携帯端末装置。
【請求項８】
利用者の操作を利用して、磁性体をコイルに対して移動させて発電するステップと、
前記コイルからの充電電流をＭＯＳトランジスタによって整流するステップと、
前記ＭＯＳトランジスタによって整流された充電電流によって、バッテリーを充電するステップと、
を備えた携帯端末装置の充電方法。
【発明の詳細な説明】
【技術分野】
【０００１】
本発明は、携帯端末装置及び携帯端末装置の充電方法に関する。
【背景技術】
【０００２】
外出先では、携帯電話のバッテリーが切れてしまうと、バッテリーを充電することができないということが多々ある。通常、荷物となってしまうため、バッテリーを充電するためのＡＣ(Alternating Current)アダプターを外出先にまで持ち歩くことがないからである。また、ＡＣアダプターを持ち歩いていたとしても、外出先で使用できるコンセントは容易に見つからない。そのため、ＡＣアダプターを用いることなく、携帯端末のバッテリーを充電することができる方法が必要とされてきている。
【０００３】
現在では、携帯電話のバッテリーがなくなったときに、乾電池式充電器又はソーラ電池によってバッテリーを充電することができる。しかし、これらの充電方法は、外部からエネルギーを供給しなければバッテリーを充電することができないとう問題がある。例えば、乾電池式充電器は、乾電池を用意して、乾電池からバッテリーに電力を供給しなければ充電することができない。また、ソーラ電池は、太陽がでていない曇りの日にはバッテリーを充電することができない。
【０００４】
特許文献１には、筒状のコイルの中に棒状のマグネットを挿入し、このマグネットを軸方向に移動可能な状態で保持した発電機を有する携帯ラジオが開示されている。特許文献１に開示の携帯ラジオは、携帯用電子機器を携帯することあるいは揺することにより生じる振動及び揺動で、発電機を揺動させて発電してバッテリーを充電する。これにより、携帯ラジオの携帯及び歩行による振動あるいは揺動により発電してバッテリーを自動的に充電することができるようにしている。
【０００５】
また、特許文献２には、コイルの中を往復運動するようにマグネットを配置した振動発電器を有する携帯端末が開示されている。特許文献２に開示の携帯端末は、マグネットを振動することによってコイルで発生した誘導電流を、バッテリーに供給して充電するかあるいは、携帯端末内部回路へ供給するかを制御している。これにより、携帯端末を駆動するためのバッテリーの寿命が延びるようにしている。
【０００６】
また、特許文献３には、身体に装着可能なリング状の形状の本体と、本体または本体の内側にまかれたコイルと、コイルの内部に移動可能に挿入された磁性体と、磁性体の移動によりコイルに発生する電力を蓄電する蓄電池と、蓄電池を電源として利用するラジオ受信部とを備えた携帯型ラジオ受信機が開示されている。これにより、ラジオ受信機を身体に装着して体を動かすことで発電を行うことができるようにし、使用者が発電のための特別な操作を行う必要がなくなるようにしている。
【０００７】
また、特許文献４には、Ｎ極・Ｓ極を交互に並べて配置した磁石を、外部からの振動によって可動するようにし、それに対して、コイルを同様にして並べたものを並行に配置した携帯可能な装置が開示されている。これにより、縦横どちらの振動に対しても効率よく電磁誘導を導くことができるようにしている。
【０００８】
また、特許文献５には、キースイッチケース内に磁石及びコイルを収納した携帯型電子機器が開示されている。特許文献５に開示の携帯型電子機器は、キースイッチの押しボタンが押されると、コイルの内部を磁石が移動し、コイルに電圧が誘導される。そして、誘導電圧をダイオードによりコンデンサに充電して、コンデンサの充電エネルギーを変換して充電型電池に充電するようにしている。これにより、複数のキースイッチを有する携帯型電子機器の各キー操作時の機械的エネルギーを電気エネルギーに変換して充電型電池を充電することができるようにしている。
【先行技術文献】
【特許文献】
【０００９】
【特許文献１】特開２０００−３０８３２７号公報
【特許文献２】特開２００１−０９５２２１号公報
【特許文献３】特開２００５−３４０９２７号公報
【特許文献４】特開２００９−２２５６５０号公報
【特許文献５】特開平０５−２７６６８０号公報
【発明の概要】
【発明が解決しようとする課題】
【００１０】
特許文献１〜５に開示の技術のように、コイルによって電流を発生させた場合には、交流で電流が発生する。そのため、このようにして発生した電流によってバッテリーを充電する場合には、電流を整流してバッテリーに供給する必要がある。
【００１１】
しかし、特許文献１〜４に開示の技術は、電流を整流する具体的な技術を開示したものではない。また、特許文献５に開示の技術は、コイルによって発生した誘導電圧をダイオードによってコンデンサに充電するようにしている。しかし、このようなダイオードによる整流器は、消費電力が大きく、バッテリーに充電する電力が少なくなってしまうという問題がある。
【００１２】
本発明の目的は、上述した課題を解決するために、外部からエネルギーを供給することなく、効率的にバッテリーの充電を行うことができる携帯端末装置及び携帯端末装置の充電方法を提供することにある。
【課題を解決するための手段】
【００１３】
本発明の第１の態様にかかる携帯端末装置は、磁性体と、第１の端子と、第２の端子とを有し、前記磁性体の移動に応じて発電するコイルと、第１の充電端子と、第２の充電端子とを有し、前記コイルからの充電電流によって充電されるバッテリーと、前記第１の端子から前記第１の充電端子に流れる充電電流を第１のＭＯＳ(Metal Oxide Semiconductor)トランジスタによって整流する整流回路と、を備えたものである。
【００１４】
本発明の第２の態様にかかる携帯端末装置の充電方法は、ユーザの操作を利用して、磁性体をコイルに対して移動させて発電するステップと、前記コイルからの充電電流をＭＯＳトランジスタによって整流するステップと、前記ＭＯＳトランジスタによって整流された充電電流によって、バッテリーを充電するステップと、を備えたものである。
【発明の効果】
【００１５】
本発明の上述した各態様により、外部からエネルギーを供給することなく、効率的にバッテリーの充電を行うことができる携帯端末装置及び携帯端末装置の充電方法を提供することができる。
【図面の簡単な説明】
【００１６】
【図１】本発明の実施の形態１にかかる携帯端末装置の構成図である。
【図２】本発明の実施の形態１にかかる携帯電話の構成図である。
【図３】本発明の実施の形態１にかかる携帯電話の磁石の構成例を示す図である。
【図４】本発明の実施の形態１にかかる携帯電話の動作を示す図である。
【図５】本発明の実施の形態１にかかる携帯電話の動作を示す図である。
【図６】本発明の実施の形態２にかかる携帯電話の構成図である。
【図７】本発明の実施の形態２にかかる携帯電話の動作を示すフローチャートである。
【図８Ａ】本発明の実施の形態２にかかる携帯電話の動作を示す図である。
【図８Ｂ】本発明の実施の形態２にかかる携帯電話の動作を示す図である。
【発明を実施するための形態】
【００１７】
本発明の実施の形態１．
まず、図１を参照して、本発明の実施の形態１にかかる携帯電話の概要となる携帯端末装置について説明する。図１は、本発明の実施の形態１にかかる携帯端末装置の構成図である。
【００１８】
携帯端末装置３は、コイル７０と、整流回路７１、バッテリー７２及び磁性体７３を有する。整流回路７１は、第１のＭＯＳトランジスタ(Metal Oxide Semiconductor)を有する。コイル７０は、第１の端子７０１と、第２の端子７０２を有する。バッテリー７２は、第１の充電端子７２１と、第２の充電端子７２２を有する。
【００１９】
コイル７０は、磁性体７３の移動に応じて発電する。
整流回路７１は、第１の端子７０１から第１の充電端子７２１に流れる充電電流を第１のＭＯＳトランジスタ７１１によって整流する。
バッテリー７２は、コイル７０からの充電電流によって充電される。バッテリー７２は、整流回路７１から充電端子７２１に充電電流が入力されることによって充電される。
磁性体７３は、コイル７０に対して移動可能に携帯端末装置３と接続されている。
第１のＭＯＳトランジスタ７１１は、自身を流れる充電電流を整流する。
【００２０】
続いて、本発明の実施の形態１にかかる携帯端末装置の動作について説明する。
携帯電話端末３の利用者の操作に応じて、磁性体７３が移動した場合、コイル７０は、発電して充電電流を発生する。
整流回路７１は、第１の端子７０１から第１の充電端子７２１に流れる充電電流を第１のＭＯＳトランジスタ７１１によって整流する。これによって、コイル７０の移動によって発生する充電電流のうち、第２の端子７０２から第１の端子７０１の方向に発生した充電電流がバッテリー７２の第１の充電端子７２１に入力されて、バッテリー７２が充電される。
【００２１】
続いて、図２を参照して、本発明の実施の形態１にかかる携帯電話の構成について説明する。図２は、本発明の実施の形態１にかかる携帯電話の構成図である。
【００２２】
携帯電話１は、充電回路１０、バッテリー２０及び磁石３０を備える。充電回路１０は、コイル１１、ＮＭＯＳ(Negative channel Metal Oxide Semiconductor)トランジスタ１２、１３及びＰＭＯＳ(Positive channel Metal Oxide Semiconductor)トランジスタ１４、１５を有する。コイル１１は、端子１１１、１１２を有する。言い換えると、コイル１１の一端を端子１１１とすると、コイル１１の他端が端子１１２となる。バッテリー２０は、充電端子２１、２２を有する。
【００２３】
続いて、携帯電話１における各構成要素の接続関係について説明する。
コイル１１の端子１１１は、ＮＭＯＳトランジスタ１２を介して、バッテリー２０の充電端子２１と接続される。また、コイル１１の端子１１１は、ＰＭＯＳトランジスタ１５を介して、バッテリー２０の充電端子２２と接続される。
コイル１１の端子１１２は、ＮＭＯＳトランジスタ１３を介して、バッテリー２０の充電端子２１と接続される。また、コイル１１の端子１１２は、ＰＭＯＳトランジスタ１４を介して、バッテリー２０の充電端子２２と接続される。
【００２４】
より具体的には、ＮＭＯＳトランジスタ１２は、ゲートと端子１１１が接続され、ソースと充電端子２１が接続され、ドレインと端子１１１が接続される。また、ＮＭＯＳトランジスタ１３は、ゲートと端子１１２が接続され、ソースと充電端子２１が接続され、ドレインと端子１１２が接続される。また、ＰＭＯＳトランジスタ１４は、ゲートと端子１１２が接続され、ソースと充電端子２２が接続され、ドレインと端子１１２が接続される。また、ＰＭＯＳトランジスタ１５は、ゲートと端子１１１が接続され、ソースと充電端子２２が接続され、ドレインと端子１１１が接続される。
【００２５】
ＮＭＯＳトランジスタ１２は、第１のＭＯＳトランジスタ７１１に相当する。また、ＮＭＯＳトランジスタ１３は、第２のＭＯＳトランジスタに相当し、ＰＭＯＳトランジスタ１４、１５は、第３及び第４のＭＯＳトランジスタに相当する。
端子１１１は、端子７０１に相当し、端子７１２は、端子７０２に相当する。また、充電端子２１は、第１の充電端子７２１に相当し、充電端子２２は、第２の充電端子７２２に相当する。
【００２６】
続いて、携帯電話１の各構成要素について説明する。
充電回路１０は、誘導電流を生成して、生成した誘導電流をバッテリー２０に供給することによって、バッテリー２０を充電する回路である。
バッテリー２０は、携帯電話１に電力を供給して、携帯電話１を動作させる。バッテリー２０は、充電回路１０から充電端子２１に誘導電流が入力されることによって充電される。また、その際に、バッテリー２０は、充電端子２１から入力された誘導電流に応じた電流を充電端子２２から出力する。つまり、バッテリー２０は、バッテリー２０内を充電端子２１から充電端子２２の方向に誘導電流が流れることによって充電される。例えば、充電端子２１がプラス端子であり、充電端子２２がマイナス端子である。
【００２７】
磁石３０は、コイル１１に対して移動可能となっている。磁石３０は、図３に例示するように、携帯電話１に備えられている。図３に例示するように、携帯電話１が備えるボタン(図示せず)に磁石３０を接続して、ボタンの押下によって磁石３０が振動等の移動をするようにしてもよい。ここで、ボタンとは、例えば、携帯電話１を操作するボタンである。また、図３に例示するように、磁石３０を、ばね、ゴム又は合成樹脂等の弾性体によって携帯電話１と接続することによって振動等の移動をするようにしてもよい。なお、磁石３０は、例えば、図１に例示するように、Ｓ極とＮ極からなる磁石である。また、磁石３０は、コイル１１に誘導電流を発生させるのであれば、磁石を含む磁性体のいずれを用いても良い。つまり、磁石３０は、その移動によってコイル１１に誘導電流が発生する位置に備えられている。
【００２８】
コイル１１は、磁石３０の移動に応じて、バッテリー２０を充電する誘導電流を発生する。コイル１１は、磁石３０のＮ極が近づくと、磁界が変化するため、磁石３０の磁界を打ち消そうとして誘導電流が発生する。また、磁石のＮ極が遠ざかると、磁石３０を引き戻そうとして誘導電流が発生する。この作用を利用して、上述したように磁石３０を移動させることで、コイル１１に誘導電流を発生させる。
【００２９】
ＮＭＯＳトランジスタ１２は、端子１１１から充電端子２１に流れる誘導電流を整流する。言い換えると、ＮＭＯＳトランジスタ１２は、端子１１１と充電端子２１間を流れる電流を整流する。より具体的には、ＮＭＯＳトランジスタ１２は、コイル１１において、端子１１２から端子１１１の方向に誘導電流が発生した場合に、端子１１１から出力された誘導電流を充電端子２１に出力する。また、ＮＭＯＳトランジスタ１２は、コイル１１において、端子１１１から端子１１２の方向に誘導電流が発生した場合には、充電端子２１から端子１１１に電流を流さないようにする。
【００３０】
ＮＭＯＳトランジスタ１３は、端子１１２から充電端子２１に流れる誘導電流を整流する。言い換えると、ＮＭＯＳトランジスタ１３は、端子１１２と充電端子２１間を流れる電流を整流する。より具体的には、ＮＭＯＳトランジスタ１３は、コイル１１において、端子１１１から端子１１２の方向に誘導電流が発生した場合に、端子１１２から出力された誘導電流を充電端子２１に出力する。また、ＮＭＯＳトランジスタ１３は、コイル１１において、端子１１２から端子１１１の方向に誘導電流が発生した場合には、充電端子２１から端子１１１に電流を流さないようにする。
【００３１】
ＰＭＯＳトランジスタ１４は、充電端子２２から端子１１２に流れる誘導電流を整流する。言い換えると、ＰＭＯＳトランジスタ１４は、充電端子２２と端子１１２間を流れる電流を整流する。より具体的には、ＰＭＯＳトランジスタ１４は、コイル１１において、端子１１２から端子１１１の方向に誘導電流が発生した場合に、充電端子２２から出力された誘導電流を端子１１２に出力する。また、ＰＭＯＳトランジスタ１４は、コイル１１において、端子１１１から端子１１２の方向に誘導電流が発生した場合には、端子１１２から充電端子２２に電流を流さないようにする。
【００３２】
ＰＭＯＳトランジスタ１５は、充電端子２２から端子１１１に流れる誘導電流を整流する。言い換えると、ＰＭＯＳトランジスタ１５は、充電端子２２と端子１１１間を流れる電流を整流する。より具体的には、ＰＭＯＳトランジスタ１５は、コイル１１において、端子１１１から端子１１２の方向に誘導電流が発生した場合に、充電端子２２から出力された誘導電流を、端子１１１に出力する。また、ＰＭＯＳトランジスタ１５は、コイル１１において、端子１１２から端子１１１の方向に誘導電流が発生した場合には、端子１１１から充電端子２２に電流を流さないようにする。
【００３３】
上述した構成により、携帯電話１は、コイル１１の両端に接続したＮＭＯＳトランジスタ１２、１３及びＰＭＯＳトランジスタ１４、１５によって、磁石３０が移動することでコイル１１に発生した誘導電流がコイル１１のどの向きに流れても、バッテリーを正常に充電できるようにしている。
【００３４】
続いて、図４及び図５を参照して、本発明の実施の形態１にかかる携帯電話の動作について説明する。図４及び図５は、本発明の実施の形態１にかかる携帯電話の動作を示す図である。なお、図４及び図５では、電流が流れている配線を実線で示し、電流が流れていない配線を破線で示している。
【００３５】
図４は、磁石３０をコイルに近づけた場合における携帯電話１の動作を示す図である。
携帯電話１の利用者によって携帯電話１のボタンが押下されたことによって、又は、携帯電話１が動かされたことによって、磁石３０がコイル１１に近づいた場合、コイル１１は、端子１１２から端子１１１の方向に向かって誘導電流を発生する。
【００３６】
ＮＭＯＳトランジスタ１２のゲートに正電圧が印可されることになるため、ＮＭＯＳトランジスタ１２は、コイル１１の端子１１１からバッテリー２０の充電端子２１に誘導電流を流す。言い換えると、ＮＭＯＳトランジスタ１２は、コイル１１の端子１１１から出力された誘導電流を、バッテリー２０の充電端子２１に出力する。
一方、ＰＭＯＳトランジスタ１５は、ドレインからソースには電流を流さないため、コイル１１の端子１１１からバッテリー２０の充電端子２２には誘導電流を流さない。
【００３７】
また、ＰＭＯＳトランジスタ１４のゲートに負電圧が印可されることになるため、ＰＭＯＳトランジスタ１４は、バッテリー２０の充電端子２２からコイル１１の端子１１２に電流を流す。言い換えると、ＰＭＯＳトランジスタ１４は、バッテリー２０の充電端子２２から出力された電流を、コイル１１の端子１１２に出力する。
一方、ＮＭＯＳトランジスタ１３は、ソースからドレインには電流を流さないため、バッテリー２０の充電端子２１からコイル１１の端子１１２には電流を流さない。
【００３８】
このようにして、ＮＭＯＳトランジスタ１２、１３及びＰＭＯＳトランジスタ１４、１５は、コイル１１の端子１１２から端子１１１の方向に向かって誘導電流が発生した場合に、バッテリー２０が充電されるように、バッテリー２０の充電端子２１から充電端子２２の方向に誘導電流が流れるようにしている。
【００３９】
図５は、磁石３０をコイルから遠ざけた場合における携帯電話１の動作を示す図である。
携帯電話１のボタンが押下されたことによって、又は、携帯電話１が動かされたことによって、磁石３０がコイル１１から遠ざかった場合、コイル１１は、端子１１１から端子１１２の方向に向かって誘導電流を発生する。
【００４０】
ＮＭＯＳトランジスタ１３のゲートに正電圧が印可されることになるため、ＮＭＯＳトランジスタ１３は、コイル１１の端子１１２からバッテリー２０の充電端子２１に誘導電流を流す。言い換えると、ＮＭＯＳトランジスタ１３は、コイル１１の端子１１２から出力された誘導電流を、バッテリー２０の充電端子２１に出力する。
一方、ＰＭＯＳトランジスタ１４は、ドレインからソースには電流を流さないため、コイル１１の端子１１２からバッテリー２０の充電端子２２には誘導電流を流さない。
【００４１】
また、ＰＭＯＳトランジスタ１５のゲートに負電圧が印可されることになるため、ＰＭＯＳトランジスタ１５は、バッテリー２０の充電端子２２からコイル１１の端子１１１に電流を流す。言い換えると、ＰＭＯＳトランジスタ１５は、バッテリー２０の充電端子２２から出力された電流を、コイル１１の端子１１１に出力する。
一方、ＮＭＯＳトランジスタ１２は、ソースからドレインには電流を流さないため、バッテリー２０の充電端子２１からコイル１１の端子１１１には電流を流さない。
【００４２】
このようにして、ＮＭＯＳトランジスタ１２、１３及びＰＭＯＳトランジスタ１４、１５は、コイル１１の端子１１１から端子１１２の方向に向かって誘導電流が発生した場合にも、バッテリー２０が充電されるように、バッテリー２０の充電端子２１から充電端子２２の方向に誘導電流が流れるようにしている。
【００４３】
以上に説明したように、本実施の形態１によれば、磁性体の移動によって、コイル１１に発生した誘導電流を、ＮＭＯＳトランジスタ１２、１３及びＰＭＯＳトランジスタ１４、１５を含むＭＯＳトランジスタによって整流して、バッテリー２０が充電される充電端子２１に流している。言い換えると、磁性体の移動に応じてコイルにおいて発電されて、端子１１１から充電端子２１に流れる充電電流をＭＯＳトランジスタによって整流している。
【００４４】
これにより、外部から携帯電話１に動かし、磁石３０を移動させることによって、バッテリー２０を充電することができる。また、消費電力の少ないＭＯＳトランジスタによって誘導電流を整流しているため、バッテリー２０に充電する電力の低減を防ぐことができる。つまり、外部からエネルギーを供給することなく、効率的にバッテリーの充電を行うことができる。
【００４５】
また、本実施の形態１では、ＭＯＳトランジスタによって誘導電流を整流してバッテリー２０に供給している。そのため、バッテリー２０に出力する電流が小電流となり、バッテリー２０にかかる負荷を低減することができる。
【００４６】
ここで、本実施の形態１では、本発明を携帯電話に適用した場合について例示したが、携帯電話、ノードＰＣ(Personal Computer)、ＰＨＳ(Personal Handyphone System)、ＰＤＡ(Personal Digital Assistant)又は携帯ゲーム機等の携帯端末装置に適用することができる。本発明を適用した携帯端末装置を持ち歩くことによって、持ち歩いたときに発生する振動等によって、常にバッテリー２０を充電することができる。また、外部から携帯端末装置を故意に動かすことによっても、バッテリー２０を充電することができる。また、携帯電話やＰＨＳのボタンや、ノードＰＣのキーボードのボタン等の携帯端末装置を操作する操作部に磁石３０を接続することで、携帯端末装置を操作するごとにバッテリー２０の充電をすることができる。また、この際に、ボタンの1つ1つに対応するように、磁石３０及びコイル１１を備えるようにすることで、より効率的にバッテリー２０を充電できる。
【００４７】
本発明の実施の形態２．
続いて、図６を参照して、本発明の実施の形態２にかかる携帯電話の構成について説明する。図６は、本発明の実施の形態２にかかる携帯電話の構成図である。
【００４８】
携帯電話２は、充電回路１０、バッテリー２０、ボタン３１、ＣＰＵ(Central Processing Unit)４０、バッテリー残量検出器５０及びディスプレイ６０を備える。
【００４９】
続いて、携帯電話２の各構成要素について説明する。なお、充電回路１０及びバッテリー２０については、実施の形態１と同様であるため説明を省略する。
ボタン３１は、実施の形態１における磁石３０が接続されている。携帯電話２の利用者がボタン３１を押下することによって磁石３０が移動して、コイル１１に誘導電流が発生するようになっている。
【００５０】
ＣＰＵ４０は、携帯電話２において、ボタン３１の操作に応じた処理を実行する。ＣＰＵ４０は、処理結果に応じた画像をディスプレイ６０に表示する。また、ＣＰＵ４０は、バッテリー残量検出器５０からのバッテリー残量判定結果に応じて、充電回路１０に電流の出力先を切り替える要求を出力する。
バッテリー残量検出器５０は、バッテリー２０の残量を検出する。バッテリー残量検出器５０は、検出した残量が、所定の残量よりも少ないか否かを判定し、バッテリー残量判定結果をＣＰＵ４０に出力する。
【００５１】
ディスプレイ６０は、ＣＰＵ４０からの要求に応じて、ＣＰＵ４０の処理結果に応じた画像を表示する。ディスプレイ６０は、例えば、ＬＣＤ(Liquid Crystal Display)パネル、有機ＥＬ(Electro Luminescence)パネル又はＰＤＰ(Plasma Display Panel)等の表示装置である。
【００５２】
続いて、図７及び図８を参照して、本発明の実施の形態２にかかる携帯電話の動作について説明する。図７は、本発明の実施の形態２にかかる携帯電話の動作を示すフローチャートである。図８は、本発明の実施の形態２にかかる携帯電話の動作を示す図である。なお、図８では、充電回路１０から電流が流れている配線を実線で示し、電流が流れていない配線を破線で示している。
【００５３】
携帯電話２の利用者によって携帯電話１のボタンが押下された場合(Ｓ１０１)、磁石が振動する(Ｓ１０３)。なお、実施の形態１において例示したように、携帯電話１を揺らす等して動かした場合に(Ｓ１０２)、磁石３０が振動するようにしてもよい(Ｓ１０３)。コイル１１は、磁石３０が振動すると、誘導電流を発生する(Ｓ１０４)。
【００５４】
バッテリー残量検出器５０は、バッテリーの残量が少ないか否かを判定する(Ｓ１０５)。ここでは、バッテリーの残量が、バッテリー容量のうち、１／３未満となっている場合に、バッテリーの残量が少ないと判定する。なお、バッテリーの残量が少ないか否かは、ここで例示した残量に限られず、任意に定めてよい。そして、バッテリー残量検出器５０は、バッテリー残量が少ないか否かを判定したバッテリー残量判定結果をＣＰＵ４０に出力する。
【００５５】
バッテリー残量検出器５０から出力されたバッテリー残量判定結果が１／３未満でないことを示している場合(Ｓ１０５：Ｎｏ)、ＣＰＵ４０は、誘導電流の出力先をＣＰＵ４０にするように要求する信号を充電回路１０に出力する。そして、充電回路１０は、ＣＰＵ４０から誘導電流の出力先をＣＰＵ４０にするように要求する信号が出力されている場合、図８Ａに示すように、コイル１１において発生した誘導電流をＣＰＵ４０に出力する(Ｓ１０６)。ＣＰＵ４０は、充電回路１０から出力された誘導電流によって動作する(Ｓ１０７)。これによって、ＣＰＵ４０は、ＣＰＵ４０が動作するために必要な電流のうち、誘導電流で補えきれない分の電流だけ、バッテリー２０から供給されればよい。そのため、ＣＰＵ４０が動作するためにバッテリー２０から消費する電力を低減することができる。
【００５６】
一方、バッテリー残量検出器５０から出力されたバッテリー残量判定結果が１／３未満であることを示している場合(Ｓ１０５：Ｙｅｓ)、ＣＰＵ４０は、誘導電流の出力先をバッテリー２０にするように要求する信号を充電回路１０に出力する。そして、充電回路１０は、ＣＰＵ４０から誘導電流の出力先をバッテリー２０にするように要求する信号が出力されている場合、図８Ｂに示すように、コイル１１において発生した誘導電流をバッテリー２０に出力する(Ｓ１０８)。これによって、バッテリー２０を充電することができる(Ｓ１０９)。
【００５７】
このように、バッテリー２０の残量が、所定の残量よりも少なくなった場合には、誘導電流をバッテリー２０に出力するように切り替えて、所定の残量よりも少なくなくなった場合には、誘導電流をＣＰＵ４０に出力するように切り替えている。なお、携帯電話１の電源が切断されている等してＣＰＵ４０が動作していない場合には、充電回路１０が発生した誘導電流を常にバッテリー２０に出力するようにしてもよい。
【００５８】
以上に説明したように、本実施の形態２によれば、バッテリーの残量が、所定の残量以上の場合に、誘導電流をＣＰＵ４０に供給するようにして、所定の残量よりも少ない場合に、誘導電流をバッテリー２０に供給するようにしている。
これによってバッテリー２０の残量が少ない場合には、バッテリー２０を充電して、バッテリーの残量が多い場合には、バッテリー２０の残量の減少を低減することができる。
【００５９】
なお、本発明は上記実施の形態に限られたものではなく、趣旨を逸脱しない範囲で適宜変更することが可能である。
例えば、本実施の形態では、ＮＭＯＳトランジスタ及びＰＭＯＳトランジスタを用いて、電流を整流する一例を例示したが、ＭＯＳトランジスタによって電流を整流してバッテリーに供給するものであれば、これに限られない。
【００６０】
また、本実施の形態では、磁石を接続する操作部としてボタンの場合について例示したが、これに限られない。つまり、利用者からの操作に応じて動く操作部であればどのようなものであってもよい。
【００６１】
また、本実施の形態では、誘導電流の出力先を要求するＣＰＵかバッテリーのいずれかにするように要求する信号をＣＰＵから充電回路に出力するようにしているが、これに限られない。例えば、この信号をバッテリー残量検出器から充電回路に直接出力するようにしてもよい。
【００６２】
また、本実施の形態において、端子とは、他の回路や素子と接続するための器具に限られない。例えば、本実施の形態において、端子とは、コイルの一端や、コイルと他の回路や素子等とを接続する配線との接続点をも含む。
【符号の説明】
【００６３】
１、２        携帯電話
３        携帯端末装置
１０        充電回路
１１、７０    コイル
１２、１３    ＮＭＯＳトランジスタ
１４、１５    ＰＭＯＳトランジスタ
２０、７２    バッテリー
２１、２２    充電端子
３０        磁石
３１        操作キー
４０        ＣＰＵ
５０        バッテリー残量検出器
６０        ディスプレイ
７１        整流回路
７３        磁性体
１１１、１１２    端子
７０１        第１の端子
７０２        第２の端子
７１１        第１のＭＯＳトランジスタ
７２１        第１の充電端子
７２２        第２の充電端子
【図１】
2011200080.tif 000003
【図２】
2011200080.tif 000004
【図３】
2011200080.tif 000005
【図４】
2011200080.tif 000006
【図５】
2011200080.tif 000007
【図６】
2011200080.tif 000008
【図７】
2011200080.tif 000009
【図８Ａ】
2011200080.tif 000010
【図８Ｂ】
2011200080.tif 000011